(57)【要約】【課題】光源としてＬＥＤを使用した場合であっても横方向への高い配光特性を有し、導光板の加工の際の労力を低減しつつ、高い意匠性を有する照明装置を提供する。【解決手段】主面の二等分面４１ｃを対称面として対称となる位置に拡散領域４２が設けられており、かつ、主面の二等分面４１ｃを対称面として右側と左側とに略同一の面積となるようにそれぞれ左右対称に拡散領域４２が設けられているため、光源から照射された光が導光板４０ａ及び導光板４０ｂに設けられた複数の拡散領域４２によって、右方向及び左方向に略同一の強さで拡散されることになり、両側方向をそれぞれ均一に明るくする。【選択図】図５
2014143113.tif 000002
【特許請求の範囲】
【請求項１】
入射側面から入射した光を主に主面の一面側又は両面側から出射する導光板が２枚組み合わせてなる導光部と、前記主面の入射側面側に隣接して設けられた発光ダイオードからなる光源と、を有する照明装置であって、
前記導光板は、前記主面及び前記入射側面とそれぞれ直交し、前記導光板の右側と左側とを体積が同一となるように二等分する二等分面を基準に、前記中心面より右側の領域である右側領域と前記二等分面より左側の領域である左側領域とからなり、
前記主面の少なくとも一面側には、特定の形状に加工された加工痕からなる複数の拡散領域が設けられており、
前記右側領域における前記主面に設けられた前記拡散領域の面積が前記主面に占める割合と、前記左側領域における前記主面に設けられた前記拡散領域の面積が前記主面に占める割合とが、略同一であることを特徴とする、
照明装置。
【請求項２】
前記右側領域に設けられた前記拡散領域と前記左側領域に設けられた前記拡散領域とは、前記主面の同一面側にそれぞれ設けられていることを特徴とする、
請求項１に記載の照明装置。
【請求項３】
前記右側領域又は前記左側領域に設けられている前記拡散領域の数は、前記右側領域又は前記左側領域の前記光源に近い側の半面である近位半面に設けられている数が、前記右側領域又は前記左側領域の前記光源から遠い側の半面である遠位半面に設けられている数より多いことを特徴とする、
請求項１又は２に照明装置。
【請求項４】
前記右側領域又は前記左側領域に設けられている前記拡散領域が占める面積の割合は、前記右側領域又は前記左側領域の前記光源に近い側の半面である近位半面に設けられている前記拡散領域が占める面積の割合が、前記右側領域又は前記左側領域の前記光源から遠い側の半面である遠位半面に設けられている前記拡散領域が占める面積の割合より大きいことを特徴とする、
請求項１〜３のいずれか１項に記載の照明装置。
【請求項５】
複数の前記拡散領域のそれぞれの形状は、同一形状又は相似形状であることを特徴とする、
請求項１〜４のいずれか１項に記載の照明装置。
【請求項６】
前記拡散領域の形状は、左右又は上下の少なくとも一方が対称となる形状であることを特徴とする、
請求項１〜５のいずれか１項に記載の照明装置。
【請求項７】
複数の前記拡散領域の面積が占める割合は、前記導光板の主面の面積に対して５０％以下であることを特徴とする、
請求項１〜６のいずれか１項に記載の照明装置。
【請求項８】
複数の前記拡散領域は、前記主面の両面側にそれぞれ設けられていることを特徴とする、
請求項１〜７のいずれか１項に記載の照明装置。
【請求項９】
請求項１〜８のいずれか１項に記載の照明装置において、
複数の前記拡散領域が設けられる位置が前記主面の一面側と前記主面の他面側とで異なることを特徴とする、
照明装置。
【請求項１０】
請求項１〜９のいずれか１項に記載の照明装置において、
前記主面の一面側から視認した際、前記主面の一面側に設けられた複数の前記拡散領域と前記主面の他面側に設けられた複数の前記拡散領域とが互いに重ならないことを特徴とする、
照明装置。
【請求項１１】
前記拡散領域は、直線形状、十字形状、円形、多角形又は特定の文字のいずれかの形状の輪郭を有すること特徴とする、
請求項１〜１０のいずれか１項に記載の照明装置。
【請求項１２】
前記拡散領域は、表面形状が略四角形状であり、前記主面の少なくとも一面に格子状に配置されていることを特徴とする、
請求項１〜１１のいずれか１項に記載の照明装置。
【請求項１３】
２枚の前記導光板は、係合溝を有し、
前記係合溝により、それぞれの主面同士が略直角となる角度で組み合わされていることを特徴とする、
請求項１〜１２のいずれか１項に記載の照明装置。
【請求項１４】
前記導光板の前記光源から遠い位置側の端面は、傾斜面からなる切り込み部を有する、
請求項１３に記載の照明装置。
【発明の詳細な説明】
【技術分野】
【０００１】
本発明は、照明装置に関する。
【背景技術】
【０００２】
従来から様々な種類の照明装置が使用されているが、近年の環境に対する意識の高まりから、消費電力の少ない発光ダイオード（以下、「ＬＥＤ」とも言う。）を光源とする照明装置の需要が高まっている。しかしながら、光源としてＬＥＤを使用すると、ＬＥＤから照射される光は白熱電球や蛍光灯から照射される光と比較して直進性が高いため、広い角度で光を照らす必要がある照明装置では、光が照射される範囲が不十分である。そこで、広範囲に光を照射することができる広角の配光特性を得るために、複数の拡散ドットが全面に設けられた導光板でＬＥＤから照射された光を拡散することで、広い範囲を照らす照明装置が知られている（例えば、特許文献１）。
【先行技術文献】
【特許文献】
【０００３】
【特許文献１】特開２０１１−２４９２９９号公報
【発明の概要】
【発明が解決しようとする課題】
【０００４】
しかしながら、このような照明装置では、横方向へ光を拡散するために、導光板の全面に拡散ドットを設ける必要があり、導光板の加工に労力が必要となるという課題がある。また、横方向への十分な配光特性を保つためには、導光板の全面に拡散ドットを設ける必要があるため、導光板のデザインが限られることになるため、意匠性に乏しいという課題がある。
【０００５】
本発明は、このような課題に鑑みなされたものであり、光源としてＬＥＤを使用した場合であっても横方向への高い配光特性を有し、導光板の加工の際の労力を低減しつつ、高い意匠性を有する照明装置を提供することを主目的とする。
【課題を解決するための手段】
【０００６】
本発明は、上述の主目的を達成するために以下の手段を採った。
【０００７】
本発明の照明装置は、
入射側面から入射した光を主に主面の一面側又は両面側から出射する導光板が２枚組み合わせてなる導光部と、前記主面の入射側面側に隣接して設けられた発光ダイオードからなる光源と、を有する照明装置であって、
前記導光板は、前記主面及び前記入射側面とそれぞれ直交し、前記導光板の右側と左側とを体積が同一となるように二等分する二等分面を基準に、前記中心面より右側の領域である右側領域と前記二等分面より左側の領域である左側領域とからなり、
前記主面の少なくとも一面側には、特定の形状に加工された加工痕からなる複数の拡散領域が設けられており、
前記右側領域における前記主面に設けられた前記拡散領域の面積が前記主面に占める割合と、前記左側領域における前記主面に設けられた前記拡散領域の面積が前記主面に占める割合とが、略同一であることを特徴とする。
【０００８】
この照明装置では、主面の表面を特定の形状に加工した加工痕からなる複数の拡散領域が導光板の右側領域に占める割合と左側領域に占める割合とが略同一となる割合で設けられているため、光源から照射された光が拡散領域によって左右いずれの方向にも同程度の割合で拡散されることになる。こうすることにより、光源として光の直進性が高い発光ダイオードを使用した場合であっても、発光ダイオードの発光方向だけでなく、横方向にも幅広く光を照射することができる。また、拡散領域の形状や配置位置にかかわらず、右側領域と左側領域とのそれぞれに占める拡散領域の割合が同一であれば、拡散領域で左右同程度の光が拡散することができる。こうすることにより、拡散領域を加工する際の自由度を高めることができ、用途に合わせて種々の形態の拡散領域を形成し、所望の美観を与えることができる。このとき、左右方向に拡散された光が壁面に当たった際に、照明装置を中心として左右対称に模様が生じるため、照明装置及び照明装置から照射される光に加えて、光が当たる壁面にも優れた美観を演出することができる。なお、導光板の主面は、主面及び入射側面にそれぞれ直交し、前記導光板の右側と左側とを体積が同一となるように二分する仮想面である二等分面によって右側領域と左側領域の二つの領域に分けられるものとし、導光板を二等分面によって左右に二等分した右側を右側領域、左側を左側領域と言う。また、ここで「右側」及び「左側」とは、導光板の主面の一面側から主面を視認した際に、二等分面によって二つの領域に二等分される導光板の一方側と他方側との位置関係を示すものであり、いずれかの特定の方向に限定するものではない。主面の表面側又は裏面側のいずれの面を基準として視認した場合であっても、二等分面よりも右側に位置する領域を右側領域と言うことにする。
【０００９】
本発明の照明装置は、
入射側面から入射した光を主に主面の一面側又は両面側から出射する導光板が２枚組み合わせてなる導光部と、前記主面の入射側面側に隣接して設けられた発光ダイオードからなる光源と、を有する照明装置であって、
前記導光板は、前記主面及び前記入射側面とそれぞれ直交し、前記導光板の右側と左側とを体積が同一となるように二等分する二等分面を基準に、前記二等分面より右側の領域である右側領域と前記二等分面より左側の領域である左側領域とからなり、
前記主面の少なくとも一面には、特定の形状に加工された加工痕からなり、前記光源から照射された光を主に主面側に拡散する複数の拡散領域が前記二等分面を基準として対称となる位置にそれぞれ設けられていることを特徴とする。
【００１０】
この照明装置では、主面の二等分面を対称面として対称となる右側領域と左側領域のそれぞれに特定の形状に加工された加工痕からなる拡散領域が左右対称の位置に複数設けられているため、光源から照射された光が導光板に設けられた複数の拡散領域で拡散され、左右いずれの方向にも同程度の割合で拡散されることになる。こうすることにより、光源として光の直進性が高い発光ダイオードを使用した場合であっても、発光ダイオードの発光方向だけでなく、横方向にも幅広く光を照射することができる。また、拡散領域が配置される位置が主面に左右対称となる位置であれば、拡散領域の形状や配置位置にかかわらず同様の効果を得ることができるため、右方向及び左方向の両方に均等に光を拡散することができる形で拡散領域を加工する際の自由度が大きく、用途に合わせて種々の形態の拡散領域を形成し、所望の美観を与えることができる。
【００１１】
本発明の照明装置において、前記右側領域に設けられた前記拡散領域と前記左側領域に設けられた前記拡散領域とは、前記主面の同一面側にそれぞれ設けられていてもよい。こうすれば、入射側面から入射した光が主に主面の同一面側に導光されることになるため、主面のいずれか１面側をより明るく照らすことができる。
【００１２】
本発明の照明装置において、前記右側領域又は前記左側領域に設けられている前記拡散領域の数は、前記右側領域又は前記左側領域の前記光源に近い側の半面である近位半面に設けられている数が、前記右側領域又は前記左側領域の前記光源から遠い側の半面である遠位半面に設けられている数より多くともよい。このように、遠位半面と比較して光源に近い近位半面に配置される拡散領域の数を大きくすることで、光源に近い位置で光を拡散することができる。こうすることにより、遠位半面における拡散領域の数が大きい場合と比較して、より強い光を横方向に拡散することができる。また、右側領域と左側領域とのそれぞれに占める拡散領域の位置が左右対称の位置であれば、拡散領域の形状や配置位置にかかわらず同様の効果を得ることができるため、拡散領域を加工する際の自由度が大きく、用途に合わせて種々の形態の拡散領域を形成し、所望の美観を与えることができる。なお、ここで近位半面及び遠位半面とは、主面の表面を光源に近い側と遠い側とで同一の距離となるように分けた際、近い側に相当する領域と遠い側に位置する領域をそれぞれ意味する。
【００１３】
本発明の照明装置において、前記右側領域又は前記左側領域に設けられている前記拡散領域が占める面積の割合は、前記右側領域又は前記左側領域の前記光源に近い側の半面である近位半面に設けられている前記拡散領域が占める面積の割合が、前記右側領域又は前記左側領域の前記光源から遠い側の半面である遠位半面に設けられている前記拡散領域が占める面積の割合より大きくともよい。このように、遠位半面と比較して光源に近い近位半面に配置される拡散領域の面積を大きくすることで、光源に近い位置で光を拡散することができる。こうすることにより、遠位半面における拡散領域の面積の割合が大きい場合と比較して、より強い光を横方向に拡散することができる。
【００１４】
本発明の照明装置において、複数の前記拡散領域のそれぞれの形状は、同一形状又は相似形状であってもよい。こうすれば、導光板の表面に設けられた複数の拡散領域によって整然とした印象を与え、照明装置が優れた意匠性を有することに加え、拡散領域によって拡散された光も同一又は相似形状に拡散されることになるため、優れた美観を与えることができる。
【００１５】
本発明の照明装置において、複数の前記拡散領域の形状は、左右又は上下の少なくとも一方が対称となる形状であってもよい。こうすれば、対称性を有する拡散領域が主面に設けられることになり、全体として整然とした印象を与え、照明装置が優れた意匠性を有することに加え、拡散領域によって拡散された光も左右又は上下の少なくとも一方が対称となる形状に拡散されることになるため、優れた美観を与えることができる。
【００１６】
本発明の照明装置において、複数の前記拡散領域の面積が占める割合は、前記導光板の主面の面積に対して５０％以下であってもよい。こうすれば、光源の発光方向だけで無く、導光板の主面方向にも十分な量の光を拡散することができるため、広い範囲を照らすことができる。
【００１７】
本発明の照明装置において、複数の前記拡散領域は、前記主面の両面側にそれぞれ設けられていてもよい。こうすることにより、主面の両面側に光を拡散することができるため、拡散領域が主面の片面側のみに設けられている場合と比較して、横方向に光のムラを少なくし、照射される光の量を均一に近づけることができる。
【００１８】
本発明の照明装置において、複数の前記拡散領域が設けられる位置が前記主面の一面側と前記主面の他面側とで異なっていてもよい。こうすれば、拡散領域の位置が一面側と他面側とで同一の場合と比較して、拡散領域を配置する自由度が上昇する。
【００１９】
本発明の照明装置において、前記主面の一面側から視認した際、前記主面の一面側に設けられた複数の前記拡散領域と前記主面の他面側に設けられた複数の前記拡散領域とが互いに重ならない位置に前記拡散領域が設けられていても良い。こうすれば、一面側に設けられた拡散領域と他面側に設けられた拡散領域とが重なって視認される可能性を未然に防ぐことができ、優れた意匠性を有する。
【００２０】
本発明の照明装置において、前記拡散領域は、直線形状、十字形状、円形、多角形又は特定の文字のいずれかの形状の輪郭を有していてもよい。このように拡散領域の形状を特定の形状とすることにより、導光板の表面が所望の形状に設けられ、導光板の意匠性を高めることができる。また、この拡散領域から拡散された光も、拡散領域の形状にあわせて所望の形状となるため、拡散された光によって所望の形状を描くことができ、優れた美観を与えることができる。
【００２１】
本発明の照明装置において、前記拡散領域の表面形状は略四角形状であり、前記主面の面積の半分の領域が複数の前記拡散領域により占められていてもよい。こうすることにより、規則的な印象を与え、特に、日本人には、市松模様と似たような印象を与えることができる。
【００２２】
本発明の照明装置において、２枚の前記導光板は、係合溝を有し、前記係合溝により、それぞれの主面同士が略直角となる角度で組み合わされていることを特徴とするものであってもよい。こうすれば、導光板の主面の方向が照明装置の横方向に略直角で配置されることになるため、導光板の主面同士がなす角度が異なる場合と比較して、より横方向にムラの少ない状態で光を照射することができる。
【００２３】
本発明の照明装置において、前記導光板の前記光源から最も遠い位置側の端面は、前記光源方向に傾斜する傾斜面からなる切り込み部を有していてもよい。こうすれば、光源から照射された光のうち、拡散領域で拡散されること導光板を通過した光の一部は、切り込み部に設けられた傾斜面により反射され、光源方向に再度進むことになる。
【図面の簡単な説明】
【００２４】
【図１】照明装置２０の外観の概略を示す正面図である。
【図２】照明装置２０の構成の概略を示す断面図である。
【図３】照明装置２０の構成の概略を示す六面図である。
【図４】図３中のＢ部を拡大した拡大図である。
【図５】拡散領域４２の配置位置の異なる他の実施の形態の導光板４０を説明するための正面図及び背面図であり、図５Ａは、導光板４０ａの表面側及び裏面側を、図５Ｂは、導光板４０ｂの表面側及び裏面側を、それぞれ示した図である。
【図６】拡散領域４２の配置位置の異なる他の実施の形態の導光板４０を説明するための正面図及び背面図であり、図６Ａは、導光板４０ａの表面側及び裏面側を、図６Ｂは、導光板４０ｂの表面側及び裏面側を、それぞれ示した図である。
【図７】拡散領域４２の配置位置の異なる他の実施の形態の導光板４０を説明するための正面図及び背面図であり、図７Ａは、導光板４０ａの表面側及び裏面側を、図７Ｂは、導光板４０ｂの表面側及び裏面側を、それぞれ示した図である。
【図８】拡散領域４２の配置位置の異なる他の実施の形態の導光板４０を説明するための正面図及び背面図であり、図８Ａは、導光板４０ａの表面側及び裏面側を、図８Ｂは、導光板４０ｂの表面側及び裏面側を、それぞれ示した図である。
【図９】拡散領域４２の配置位置の異なる他の実施の形態の導光板４０を説明するための正面図及び背面図であり、図９Ａは、導光板４０ａの表面側及び裏面側を、図９Ｂは、導光板４０ｂの表面側及び裏面側を、それぞれ示した図である。
【図１０】拡散領域４２の配置位置の異なる他の実施の形態の導光板４０を説明するための正面図及び背面図であり、図１０Ａは、導光板４０ａの表面側及び裏面側を、図１０Ｂは、導光板４０ｂの表面側及び裏面側を、それぞれ示した図である。
【図１１】拡散領域４２の形状の異なる第二の実施の形態の導光板４０を説明するための正面図及び背面図であり、図１１Ａは、導光板４０ａの表面側及び裏面側を、図１１Ｂは、導光板４０ｂの表面側及び裏面側を、それぞれ示した図である。
【図１２】拡散領域４２の形状の異なる第三の実施の形態の導光板４０を説明するための正面図及び背面図であり、図１２Ａは、導光板４０ａの表面側及び裏面側を、図１２Ｂは、導光板４０ｂの表面側及び裏面側を、それぞれ示した図である。
【図１３】拡散領域４２の形状の異なる第四の実施の形態の導光板４０を説明するための正面図及び背面図であり、図１３Ａは、導光板４０ａの表面側及び裏面側を、図１３Ｂは、導光板４０ｂの表面側及び裏面側を、それぞれ示した図である。
【図１４】拡散領域４２の形状の異なる第五の実施の形態の導光板４０を説明するための正面図及び背面図であり、図１４Ａは、導光板４０ａの表面側及び裏面側を、図１４Ｂは、導光板４０ｂの表面側及び裏面側を、それぞれ示した図である。
【図１５】拡散領域４２の形状の異なる第六の実施の形態の導光板４０を説明するための正面図及び背面図であり、図１５Ａは、導光板４０ａの表面側及び裏面側を、図１５Ｂは、導光板４０ｂの表面側及び裏面側を、それぞれ示した図である。
【図１６】拡散領域４２の形状の異なる第七の実施の形態の導光板４０を説明するための正面図及び背面図であり、図１６Ａは、導光板４０ａの表面側及び裏面側を、図１６Ｂは、導光板４０ｂの表面側及び裏面側を、それぞれ示した図である。
【図１７】拡散領域４２の形状の異なる第八の実施の形態の導光板４０を説明するための正面図及び背面図であり、図１７Ａは、導光板４０ａの表面側及び裏面側を、図１７Ｂは、導光板４０ｂの表面側及び裏面側を、それぞれ示した図である。
【図１８】拡散領域４２の形状の異なる第九の実施の形態の導光板４０を説明するための正面図及び背面図であり、図１８Ａは、導光板４０ａの表面側及び裏面側を、図１８Ｂは、導光板４０ｂの表面側及び裏面側を、それぞれ示した図である。
【図１９】図１９は、第一の実施形態と同様の拡散領域４２を備えた導光板４０を用いた場合の配光特性を示す説明図である。
【図２０】図２０は、第二の実施形態と同様の拡散領域４２を備えた導光板４０を用いた場合の配光特性を示す説明図である。
【図２１】図２１は、第三の実施形態と同様の拡散領域４２を備えた導光板４０を用いた場合の配光特性を示す説明図である。
【図２２】図２２は、第四の実施形態と同様の拡散領域４２を備えた導光板４０を用いた場合の配光特性を示す説明図である。
【図２３】図２３は、第五の実施形態と同様の拡散領域４２を備えた導光板４０を用いた場合の配光特性を示す説明図である。
【図２４】図２４は、第六の実施形態と同様の拡散領域４２を備えた導光板４０を用いた場合の配光特性を示す説明図である。
【図２５】図２５は、第七の実施形態と同様の拡散領域４２を備えた導光板４０を用いた場合の配光特性を示す説明図である。
【図２６】図２６は、第七の実施形態の他の形態の拡散領域４２を備えた導光板４０を用いた場合の配光特性を示す説明図である。
【図２７】図２７は、第八の実施形態と同様の拡散領域４２を備えた導光板４０を用いた場合の配光特性を示す説明図である。
【図２８】図２８は、第九の実施形態と同様の拡散領域４２を備えた導光板４０を用いた場合の配光特性を示す説明図である。
【図２９】図２９は、第九の実施形態の他の形態の拡散領域４２を備えた導光板４０を用いた場合の配光特性を示す説明図である。
【発明を実施するための形態】
【００２５】
次に、図１及び図２を用いて、本発明の第一の実施の形態である照明装置２０の構成を詳しく説明する。ここで、図１は、照明装置２０の構成の概略を示す正面図であり、図２は、図１のＡ−Ａ断面で切断した断面図である。また、照明装置２０の構成の理解を深めるため、図３に照明装置２０の構成の概略を示す六面図を示す。この照明装置２０は、図１に示すように、図示しない照明装置用取付部に螺合する口金３２と、導光板４０の端面に光を照射する光源３６（図２参照）と、光源３６から発生した熱を放出する放熱部３４と、を有する本体部３０に、複数の拡散領域４２（図３参照）を有する２枚の導光板４０ａ及び導光板４０ｂ（以下、「導光板４０」とも言う。）を取り付けたものである。この照明装置２０は、図示しない照明装置用取付部（例えば、ＪＩＳ規格で定められたＥ２６口が取り付け可能な取付部）に口金３２を螺合することにより光源３６に電力が供給されると、光源３６から光が導光板４０に照射され、導光板４０に設けられた複数の拡散領域４２で光が拡散されことにより、周囲が照らされる。
【００２６】
放熱部３４は、図１に示すように、表面に凹凸を有する金属性の部材であり、表面の凹凸により外気と接する表面積を増大させ、放熱部３４より外気に放出される熱量を増大させている。この放熱部３４と複数の光源３６が設けられた図示しない基板とは当接しているため、光源３６を点灯することにより発生する熱は、放熱部３４を介して外に放熱される。こうすることにより、放熱部３４と当接していない場合と比較して、より効率的に熱を排出することができる。言い換えると、光源３６を点灯することにより発生する熱により光源３６が故障したり不具合が生じたりする可能性を未然に低減することができる。
【００２７】
光源３６は、正面発光型の白色発光ダイオード（以下、「ＬＥＤ」と言う。）であり、図２に示すように、導光板４０の端面に対向する位置に近接して配置される。このため、光源３６と導光板４０の端面との距離が離れている場合と比較して、より光源３６から照射された光を導光板４０の内部に導くことができる。また、この光源３６は、図示しない基板及び導線等を介して口金３２と電気的に接続されている。このため、口金３２が図示しない照明装置用取付部に螺合して電力が供給されると、光源３６にも電力が供給される。
【００２８】
導光板４０ａは、図５Ａに示すように、厚さが約４ミリメートルから約８ミリメートルの透過性を有するメタクリル樹脂製の板状部材であり、中央部に一端（図２中、下方側端）から他端側（図２中、上方側）に向かって、２つの溝部４４及び係合溝４６がそれぞれ設けられており、一端側の端部には傾斜面４８ａ及び傾斜面４８ｂからなる切り欠き部４８がそれぞれ設けられている。このため、他端側から入射した光のうち、拡散領域４２で拡散されること無く一端側に到達した光の一部は、傾斜面４８ａ又は傾斜面４８ｂで反射されることになり、ＬＥＤのように直進性の高い光源を利用した場合であっても、光源の正面のみが明るくなることを未然に防止することができる。
【００２９】
導光板４０ｂは、図５Ｂに示すように、厚さが約４ミリメートルから約８ミリメートルの透過性を有するメタクリル樹脂製の板状部材であり、中央部に一端（図２中、下方側端）から他端側（図２中、上方側）に向かって、３つの溝部４４がそれぞれ設けられており、一端側の端部には傾斜面４８ａ及び傾斜面４８ｂからなる切り欠き部４８がそれぞれ設けられている。このため、他端側から入射した光のうち、拡散領域４２で拡散されること無く一端側に到達した光の一部は、傾斜面４８ａ又は傾斜面４８ｂで反射されることになり、ＬＥＤのように直進性の高い光源を利用した場合であっても、光源の正面のみが明るくなることを未然に防止することができる。また、中央部の他端から一端側に向かって第二係合溝４７が設けられており、導光板４０ａに設けられた係合溝４６と、導光板４０ａの主面と導光板４０ｂの主面とが略直角となる角度で係合する。こうすることにより、光源３６から導光板４０に照射された光を略垂直の角度でそれぞれ拡散することができるため、優れた美観を演出することができる。
【００３０】
導光板４０の主面４１（図１及び図２中、点線を付した面）には、図３に示すように、複数の拡散領域４２が設けられている。また、導光板４０は、二等分面４１ｃ（主面４１及び入射側面４３とそれぞれ直交し、一端側と他端側とを結ぶ仮想面）によって右側領域４１ａと左側領域４１ｂとの二つの領域に二分される。このとき、右側領域４１ａと左側領域４１ｂとは、同一の体積を有するため、主面４１は、右側領域４１ａと左側領域４１ｂとによって二等分されることになる。なお、ここで「右側領域４１ａ」及び「左側領域４１ｂ」は、主面４１の一面側を基準として主面４１を視認した際に、二等分面４１ｃによって二つの領域に二等分される導光板４０の一方側（図５Ａ中の上側）と他方側（図５Ａ中の下側）とをそれぞれ示すものである。
【００３１】
拡散領域４２は、図４に示すように、主面の表面に矩形形状となるように加工した加工痕４２ａからなり、加工痕４２ａからなる拡散領域４２と加工されていない領域とが、交互に位置するよう主面４１の全面に加工されている。この矩形形状の拡散領域４２は、主面４１の表面に規則的に配置されており、例えば、市松模様の一部が主面４１の表面に表された形状で形成されている。このように、主面の表面全体に複数の拡散領域４２が規則的に配置されることにより、他端側から入射した光が一端側に到達する前にいずれかの拡散領域４２を通過することになるため、主面方向に光が拡散されることになる。また、拡散領域４２が左右対称となる位置に設けられているため、他端側から入射した光が右方向と左方向の両方向に同程度拡散されることが期待される。このため、照明装置２０の右側と左側とを同程度の明るさにすることができる。加えて、拡散領域４２が上下対称となる位置に設けられているため、上方側から拡散される光と下方側から拡散される光とが同程度となる。
【００３２】
次に、拡散領域４２の配置位置の異なる導光板４０の他の実施の形態について、図６〜図１０を用いて説明する。ここで、図６〜図１０は、他の形態における導光板４０ａ及び導光板４０ｂを示す正面図及び背面図である。なお、拡散領域４２の配置位置以外は、同様であるため、ここでは説明を省略する。
【００３３】
導光板４０の他の実施の形態としては、図６に示すように、表面側と裏面側とで同一の配置位置であて、拡散領域４２の配置位置が異なる２枚の導光板４０ａ及び導光板４０ｂをそれぞれ組み合わせても良い。こうすれば、対称性を有しつつ、照明装置２０が視認される方向によって異なる美観を与えることができる。
【００３４】
また、図７に示すように、複数の拡散領域４２が、表面側と裏面側とで一面側から視認した際に、互いに重ならない位置に設けられていても良い。こうすれば、光源３６から照射された光が導光板４０を通過する際、光源領域４２によって表面側か裏面側かのいずれかの方向に導光されることになるため、いずれの方向にも反射することなく導光板４０を通過する光を減少させることができる。言い換えると、光源の正面方向側だけを明るくすることなく、横方向も同時に明るくすることができる。
【００３５】
更に、図８に示すように、図６及び図７を組み合わせ、表面側と裏面側とで互いに重ならない位置に複数の拡散領域４２が設けられ、それぞれ異なる位置に配置された２種類の導光板４０を組み合わせて導光部を形成しても良い。こうすれば、照明装置２０が視認される方向によって異なる美観を与えつつ、横方向に対して光のムラを少なくした状態で明るくすることができる。
【００３６】
更にまた、図９に示すように、導光板４０の表面側と裏面側とに互いに重ならない位置にそれぞれ複数の拡散領域４２が設けられていてもよい。具体的には、主面４１の一面側の右側領域４１ａと他面側の左側領域４１ｂとにそれぞれ設けられていても良い。このような場合には、導光板４０の表面側と裏面側とにおいて主面の左右それぞれの面側で光が拡散されることになる。こうすることにより、表面側と裏面側とで対照的な美観を与えつつ、左右の面側で異なる美観を与えることができるため、拡散領域４２の配置位置によって種々の美観を与えることができる。なお、拡散領域４２の位置については、この位置に限定されるものではなく、主面４１の一面側の左側領域４１ｂと他面側の右側領域４１ａとにそれぞれ設けられていても良い。
【００３７】
そして、図１０に示すように、導光板４０の一端側、つまり、光源３６に近い側の半面（近位半面）にのみ拡散領域４２が配置されていても良い。こうすれば、光源３６に近く、強い光を横方向に拡散することができるため、光源３６から遠い側の半面（遠位半面）にのみ拡散領域４２が配置されている場合と比較して、より横方向を明るくすることができる。また、照明装置２０を天井等に取り付けた場合には、上方側から光が拡散することになるため、広がりのある美観を与えることができる。なお、このとき、拡散領域４２は、光源３６に近位半面にのみ設けるものとしたが、光源３６にから遠ざかるにつれて拡散領域４２の数を減らしたり、拡散領域４２のサイズを小さくしたりして表面に占める拡散領域４２の割合を少なくしても良い。いずれの場合であっても、同様の効果を得ることができる。
【００３８】
なお、拡散領域４２の配置位置は、図６〜図１０に示すものに限定されるものではなく、導光板４０の左側領域と右側領域とのそれぞれに占める拡散領域４２の割合が同一となるように配置されていてもよいし、それぞれの拡散領域４２の形状が相似形であってもよいし、複数の形状を有する拡散領域４２が配置されていてもよい。
【００３９】
以上詳述した照明装置２０によれば、主面４１の二等分面４１ｃを対称面として対称となる位置に拡散領域４２が設けられており、かつ、主面の二等分面４１ｃを対称面として右側と左側とに略同一の面積となるようにそれぞれ左右対称に拡散領域４２が設けられているため、光源３６から照射された光が導光板４０に設けられた複数の拡散領域４２によって、右側方向及び左側方向に略同一の強さで拡散されることになり、両側方向をそれぞれ均一に明るくすることができる。このとき拡散される光は、左右対称に拡散されるため、優れた意匠性を有する。
【００４０】
また、主面４１の右側領域に設けられた拡散領域４２と主面４１の左側領域に設けられた拡散領域４２とは、それぞれ前記主面４１の同一面側に設けられているため、入射側面から入射した光によって、主面４１の同一面側をより明るくすることができる。
【００４１】
また、主面４１には同一の大きさの四角形である拡散領域４２が複数設けられているため、導光板４０の表面全体が統一感のある美観を有し、この四角形は左右及び上下が対称であるため、全体として整然とした印象を有する。このため、この拡散領域４２から拡散された光も同様に統一感のある美観や整然とした印象を有するため、優れた意匠性を有する。
【００４２】
更に、複数の拡散領域４２は、導光板４０の両側主面４１にそれぞれ設けられているため、主面４１の両面いずれ側にも対しても光を拡散することができるため、横方向に光を照射する際の光のムラを低減し、いずれの方向も明るく照らすことができる。
【００４３】
更にまた、複数の拡散領域４２は、表面形状が四角形形状であり、主面４１の面積の半分の領域を規則的に占めているため、整然とした印象を与えることができ、特に、日本人に対しては、市松模様を想起させ、優れた美観を与えることができる。
【００４４】
そして、導光板４０ａと導光板４０ｂとが係合溝４６と第二係合溝４７とで略直角となる角度で組み合わされているため、導光板４０ａの主面４１と導光板４０ｂの主面４１とが略直角となり、光源３６から照射された光が、横方向に幅広く拡散されることになるため、導光板４０ａと導光板４０ｂとが９０°未満の角度で組み合わされている場合と比較して、横方向にムラの少ない状態で光を拡散することができる。
【００４５】
続いて、照明装置２０の他の実施の形態の導光板４０について、図１１〜図１８を用いて説明する。ここで、図１１〜１７は、拡散領域４２の形状が異なる他の実施の形態の導光板４０を説明するための正面図及び背面図である。
【００４６】
第二の実施の形態における導光板４０は、図１１に示すように、同一の点を中心とした半径の異なる２種類の円を複数配置したものであってもよい。こうすれば、同心円状に設けられた加工痕により規則的に光源３６から照射された光が拡散されることになるため、優れた美観を与えることができる。なお、ここでは同一の点を中心とした半径の異なる２種類の円を組み合わせた形状の加工痕４２ａを形成するものとしたが、半径の長さは２種類に限定されるものではなく、３種類以上であってもよいし、１種類であってもよい。また、表面側と裏面側とで配置位置を変えたり、大きさを変更したりしても良いし、２枚の導光板４０に設けられる拡散領域４２の形状が同一であっても、異なっていても良い。このような導光板４０を用いることにより、複数の円の広がりを表すイメージの光を照射することができ、この光が壁面に到達することにより、壁面にも同様のイメージを有する模様を演出することができるため、優れた美観を与えることができる。なお、拡散領域４２の形状以外は、第一の実施の形態と同様であるため、ここでは説明を省略する。
【００４７】
第三の実施の形態における導光板４０は、図１２に示すように、同一の中心点を有する複数の円形状に加工痕４２ａを設けることにより拡散領域４２を配置しても良い。こうすれば、同一の中心点を中心として広がるイメージを有する光を演出することができ、この光が壁面に到達することにより、壁面にも同様のイメージを有する模様を演出することができるため、優れた美観を与えることができる。なお、拡散領域４２の形状以外は、第一の実施の形態と同様であるため、ここでは説明を省略する。また、ここでは円形状に加工痕４２ａを設けることにしたが、三角形や四角形、五角形以上の多角形形状であってもよし、各拡散領域４２の大きさや、円形状の加工痕４２ａの中心位置については、適宜選択することができる。また、表面側と裏面側とで同一の位置に配置したり、２枚の導光板の表面に設けられる拡散領域４２の形状が同一にしたりしてもよいし、主面４１の右側と左側に同数配置しても良い。いずれの場合も、同様の効果を得ることができる。加えて、主面４１の上側半面に多く配置し、主面の下側半面に少なく配置しても良い。こうすれば、主面４１の近位半面、つまり、光源３６に近い位置で光源３６からの光を拡散することができるため、主面４１の遠位半面で拡散する場合と比較して、横方向への光を明るくすることができる。
【００４８】
第四の実施の形態における導光板４０は、図１３Ａに示すように、円形の形状を残して加工痕４２ａを加工したり、図１３Ｂに示すように、異なる太さの円形状の加工痕４２ａを複数組み合わせて設けたりしてもよい。こうすれば、導光板４０から拡散された光が加工痕４２ａの形状に即した形状として演出することができ、この光が壁面に到達することにより、壁面にも同様のイメージを有する模様を演出することができるため、優れた美観を与えることができる。なお、図１３中の斜線部が拡散領域４２であり、拡散領域４２の形状以外は、第一の実施の形態と同様であるため、ここでは説明を省略する。また、ここで、加工痕４２ａによって形成される円形の径の大きさは同一であっても異なっていてもよく、円形形状の加工痕４２ａの太さも同一であっても異なっていても良い。また、表面側と裏面側とに同一の加工痕４２ａを有していても、異なる加工痕４２ａを有していてもよい。いずれの場合も、同様の効果を得ることができる。
【００４９】
第五の実施の形態における導光板４０は、図１４に示すように、連続する六角形形状に加工痕４２ａを設けることにより拡散領域４２を配置しても良い。こうすれば、規則的な六角形のハニカム形状に設けられた加工痕４２ａによって規則的に光源３６から照射された光が拡散されることになり、この光が壁面に到達することにより、壁面にも同様のイメージを有する模様を演出することができるため、優れた美観を与えることができる。なお、拡散領域４２の形状以外は、第一の実施の形態と同様であるため、ここでは説明を省略する。また、ここでは六角形のハニカム形状に加工痕４２ａを設けるものとしたが、五角形や七角形以上の多角形を同様に配置してもよいし、数種類の相似形であっても良いし、ハニカム形状に全体に配置するものではなく、主面４１の一部に配置しても良い。また、表面側と裏面側とで配置位置を変えたり、大きさを変更したりしても良いし、２枚の導光板４０に設けられる拡散領域４２の形状が同一であっても、異なっていても良い。いずれの場合も、同様の効果を得ることができる。
【００５０】
第六の実施の形態における導光板４０は、図１５に示すように、互いに直交する加工痕４２ａにより
複数の格子形状の領域を形成し、この格子形状の領域の一部に更に加工痕４２ａを設けることにより拡散領域４２を形成してもよい。こうすれば、格子形状に形成された加工痕４２ａによって規則的に光源３６から照射された光が拡散されることになり、この光が壁面に到達することにより、壁面にも同様のイメージを有する模様を演出することができるため、優れた美観を与えることができる。なお、拡散領域４２の形状以外は、第一の実施の形態と同様であるため、ここでは説明を省略する。また、ここでは互いに直交する加工痕４２ａにより格子形状に加工して拡散領域４２を形成することとしたが、直交に限定されるものではなく、任意の角度で交わるものであってもよい。また、隣合う加工痕４２ａ同士の距離は全て同一であっても良いし、全て異なっていても良いし、同一の間隔と異なる間隔とによって規則的に配置されていても良い。いずれの場合も、同様の効果を得ることができる。
【００５１】
第七の実施の形態における導光板４０は、図１６に示すように、光源３６から照射された光の光路に対して交わる方向に直線又は円弧形状の加工痕４２ａを設けていても良い。こうすれば、光源３６から照射された光の光路と加工痕４２ａとが略平行に配置されている場合と比較して、より横方向に光を拡散することができる。なお、拡散領域４２の形状以外は、第一の実施の形態と同様であるため、ここでは説明を省略する。また、ここでは光源３６に近づくほど多くの加工痕４２ａを設けるものとしたが、加工痕４２ａの主面に占める割合は光源の位置に近づくほど大きくなっても良いし、同一であっても良い。また、表面側と裏面側とで同一の加工痕４２ａを形成しても良いし、異なる位置に形成しても良いし、２枚の導光板に形成される加工痕４２ａが同一であっても，異なっていても良い。いずれの場合も、同様の効果を得ることができる。
【００５２】
第八の実施の形態における導光板４０は、図１７に示すように、導光板４０の表面に複数の加工痕４２ａにより所望の模様を形成し、この加工痕４２ａで囲まれる領域の一部に更に加工痕４２ａを形成することにより、拡散領域４２を形成しても良い。こうすれば、模様の形状にあわせた形状で加工痕４２ａから光が拡散されるため、光の形態を自由に定めることができ、この光が壁面に到達することにより、壁面にも同様のイメージを有する模様を演出することができるため、優れた美観を与えることができる。なお、拡散領域４２の形状以外は、第一の実施の形態と同様であるため、ここでは説明を省略する。また、模様の形状は、表面側と裏面側とで同一であっていても良いし、異なっていても良い。また、模様が形成される位置も同一であってもよいし、異なっていても良い。いずれの場合も、同様の効果を得ることができる。
【００５３】
第九の実施の形態における導光板４０は、図１８に示すように、導光板４０の表面に特定の形状（例えば、十字架形状や文字列等）の模様を加工痕４２ａで形成しても良い。こうすれば、導光板４０が直接視認された場合であっても、優れた美観を与えることができ、この光が壁面に到達することにより、壁面にも同様のイメージを有する模様を演出することができるため、優れた美観を与えることができる。なお、拡散領域４２の形状以外は、第一の実施の形態と同様であるため、ここでは説明を省略する。また、この導光板４０が拡散される光も特定の形状の模様として拡散されるため、導光板４０からの拡散光も優れた美観を与えることができ、この光が壁面に到達すると、壁面に特定の形状の模様を浮かび合わせることができるため、壁面にも優れた美観を与えることができる。
【００５４】
なお、本発明は上述した実施の形態に何ら限定されることはなく、本発明の技術的範囲に属する限り種々の態様で実施し得ることはいうまでもない。
【００５５】
例えば、上述した実施の形態では、導光板４０は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【００５６】
上述した実施の形態では、導光板４０の両側主面に複数の拡散領域４２を設けるものとしたが、一方主面側のみに拡散領域４２を備えていても良い。この場合も、上述した実施の形態と同様の効果が得られる。
【００５７】
上述した実施の形態では、主面にレーザー加工痕４２ａによって拡散領域４２を形成するものとしたが、レーザー加工に限定されるものではなく、超音波加工や切削加工であってもよいし、スクリーン印刷やシルク印刷等によって凸状に加工してもよいし、あらかじめ凹凸が刻まれた金型を用いて射出成形で形成してもよい。いずれの場合であっても、上述した実施の形態と同様の効果が得られる。
【００５８】
このようにして得られた照明装置２０から光が照射される際、光が照射される角度と照度（ルクス）との関係について、図１９〜図２９を用いて説明する。図１９〜図２９は、それぞれの形状の拡散領域４２において、各角度で同一の照度となる距離を示した模式図であり、上方に拡散領域４２の形状を示し、下方に同一の光源を用いた場合に、同一の照度となる距離の軌跡を示したものである。ここで、下部の軌跡の算出方法を説明する。この軌跡は描くために、まず、照明装置２０を中心に配置し、一端側から１ｍの距離でそれぞれの角度の照度（ルクス）を測定した。次に、それぞれの角度で得られた照度の測定値から、角度０°で得られた照度と同一の照度となる距離を算出し、得られた値をそれぞれの角度毎にプロットした。このプロットした点を互いに繋いだものが図１９〜図２９の下側にそれぞれ示した軌跡である。
【００５９】
第一の実施の形態における導光板４０と同様に、四角形の格子模様を有する拡散領域４２を備えた場合には、図１９に示すように、水平方向にそれぞれ２０°傾けた場合であっても８０ｃｍ以上の距離で同程度の照度を有するため、光源３６の正面側（図１９中の下方向）だけでなく、照明装置２０の周囲方向（図１９中の横方向）にも十分な照度を保つことができる。また、５０ｃｍ離れた位置で正面側と同程度の照度が得られる範囲は、両方向ともに３０°を超えており、横方向に膨らみを有する軌跡が描かれるため、光源３６の正面側だけでなく、導光板４０の拡散によって照明装置２０の周囲方向にも十分な照度を保つことができたと言える。
【００６０】
また、第二の実施の形態における導光板４０と同様に、同一の点を中心とした半径の異なる２種類の円を複数配置して拡散領域４２を形成した場合には、図２０に示すように、水平方向にそれぞれ２０°傾けた場合であっても８０ｃｍ以上の距離で同程度の照度を有するため、光源３６の正面側（図２０中の下方向）だけでなく、照明装置２０の周囲方向（図２０中の横方向）にも十分な照度を保つことができる。また、５０ｃｍ離れた位置で正面側と同程度の照度が得られる範囲は、両方向ともに３０°を超えており、横方向に膨らみを有する軌跡が描かれるため、光源３６の正面側だけでなく、導光板４０の拡散によって照明装置２０の周囲方向にも十分な照度を保つことができたと言える。
【００６１】
更に、第三の実施の形態における導光板４０と同様に、同一の中心点を有する複数の円形状に加工痕４２ａを設けることにより拡散領域４２を配置した場合には、図２１に示すように、水平方向にそれぞれ２０°傾けた場合であっても８０ｃｍの距離で同程度の照度を有する。この結果から、光源３６の正面側だけでなく、導光板４０の拡散によって照明装置２０の周囲方向にも十分な照度を保つことができたと言える。また、５０ｃｍ離れた位置で正面側と同程度の照度が得られる範囲は、両方向とも３０°を超えており、横方向に膨らみを有する軌跡が描かれるため、光源３６の正面側だけでなく、導光板４０の拡散によって照明装置２０の周囲方向にも十分な照度を保つことができたと言える。
【００６２】
更にまた、第四の実施の形態における導光板４０と同様に、異なる太さの円形状の加工痕４２ａを複数組み合わせて設けたり、円形の形状を残して加工痕４２ａを加工したりした場合には、図２２に示すように、水平方向にそれぞれ１０°傾けることで７０ｃｍ未満の距離で同程度の照度に低下するが、光源方向の明るさは１７０．７ルクスと十分な照度を保っている。この結果から、光源３６の正面側を選択的に明るくすることができたと言える。また、５０ｃｍ離れた位置で正面側と同程度の照度が得られる範囲は、３０°未満と限定された範囲であり、光源３６の正面側に長いシャープな軌跡が描かれるため、正面方向に選択的に光を照射することができると言える。
【００６３】
そして、第五の実施の形態における導光板４０と同様に、連続する六角形形状に加工痕４２ａを設けることにより拡散領域４２を配置した場合には、図２３に示すように、水平方向に１０°傾けることで、７０ｃｍ程度の距離で同程度の照度に低下するが、更に傾けて水平方向に３０°まで傾けた場合も、５０ｃｍ以上の距離で同程度の照度を保っている。この結果から、１０°〜３０°の範囲に比較的明るくすることができたと言える。また、５０ｃｍ離れた位置で正面側と同程度の照度が得られる範囲は、両方向とも３０°を超えており、横方向に膨らみを有する軌跡が描かれるため、光源３６の正面側だけでなく、導光板４０の拡散によって照明装置２０の周囲方向にも十分な照度を保つことができたと言える。
【００６４】
そしてまた、第六の実施の形態における導光板４０と同様に、互いに直交する加工痕４２ａにより
複数の格子形状の領域を形成し、この格子形状の領域の一部に更に加工痕４２ａを設けることにより拡散領域４２を形成した場合には、図２４に示すように、水平方向にそれぞれ１０°傾けることで７０ｃｍ未満の距離で同程度の照度に低下するが、光源方向の明るさは１４６．３ルクスと十分な照度を保っている。この結果から、光源３６の正面側を選択的に明るくすることができたと言える。また、５０ｃｍ離れた位置で正面側と同程度の照度が得られる範囲は、３０°未満と限定された範囲であり、光源３６の正面側に長いシャープな軌跡が描かれるため、正面方向に選択的に光を照射することができると言える。
【００６５】
そして更にまた、第七の実施の形態における導光板４０と同様に、光源３６から照射された光の光路に対して交わる方向に直線又は円弧形状の加工痕４２ａを設けた場合には、図２５に示すように、水平方向にそれぞれ２０°傾けた場合であっても８０ｃｍ以上の距離で同程度の照度を有し、水平方向にそれぞれ３０°傾けた場合であっても７０ｃｍの距離で同程度の照度を有する。この結果から、光源３６の正面側だけでなく、導光板４０の拡散によって照明装置２０の周囲方向にも十分な照度を保つことができたと言える。また、５０ｃｍ離れた位置で正面側と同程度の照度が得られる範囲は、両方向とも４０°を超えており、横方向に膨らみを有する軌跡が描かれるため、光源３６の正面側だけでなく、導光板４０の拡散によって照明装置２０の周囲方向にも十分な照度を保つことができたと言える。
【００６６】
加えて、第七の実施形態における導光板４０の他の例として、光源３６から照射された光の光路に対して斜めに交わる方向に直線状の加工痕４２ａを設けた場合には、図２６に示すように，水平方向にそれぞれ１０°また向けることで６０ｃｍ未満の距離で同程度の照度に低下するが、光源方向の明るさは１７４．７ルクスと十分な照度を保っている。この結果から、光源３６の正面側を選択的に明るくすることができたと言える。また、５０ｃｍ離れた正面側と同程度の照度が得られる範囲は、３０°未満と限定された範囲であり、光源３６の正面側に長いシャープな軌跡が描かれるため、正面方向に選択的に光を照射することができると言える。
【００６７】
加えて、第八の実施の形態における導光板４０と同様に、導光板４０の表面に複数の加工痕４２ａにより所望の模様を形成し、この加工痕４２ａで囲まれる領域の一部に更に加工痕４２ａを形成することにより、拡散領域４２を配置した場合には、図２７に示すように、水平方向にそれぞれ１０°傾けることで７０ｃｍ未満の距離で同程度の照度に低下するが、光源方向の明るさは１５３．９ルクスと十分な照度を保っている。この結果から、光源３６の正面側を選択的に明るくすることができたと言える。また、５０ｃｍ離れた位置で正面側と同程度の照度が得られる範囲は、３０°未満と限定された範囲であり、光源３６の正面側に長いシャープな軌跡が描かれるため、正面方向に選択的に光を照射することができると言える。
【００６８】
加えてまた、第九の実施の形態における導光板４０のように、十字架形状の模様で加工痕４２ａを設けた場合には、図２８に示すように、水平方向にそれぞれ２０°傾けることで７０ｃｍ未満の距離で同程度の照度に低下するが、光源方向の明るさは１６４．１ルクスと十分な照度を保っている。この結果から、光源３６の正面側を選択的に明るくすることができたと言える。また、５０ｃｍ離れた位置で正面側と同程度の照度が得られる範囲は、４０°未満と比較的限定された範囲であり、光源３６の正面側に長いシャープな軌跡が描かれるため、正面方向に比較的に選択的に光を照射することができると言える。
【００６９】
加えて更にまた、第九の実施の形態における導光板４０の他の例として、光源３６から照射された光の行路に対して斜めに交わる方向に所定の文字状の加工痕４２ａを設けた場合には、図２９に示すように、水平方向にそれぞれ１０°傾けることで７０ｃｍ未満の距離で同程度の照度に低下するが、光源方向の明るさは１７２．０ルクスと十分な照度を保っている。この結果から、光源３６の正面側を選択的に明るくすることができたと言える。また、５０ｃｍ離れた正面側と同程度の照度が得られる範囲は３０°未満と限定された範囲であり、光源３６の正面側に長いシャープな軌跡が描かれるため、正面方向に選択的に光を照射することができると言える。
【００７０】
以上図１９〜図２９で示したように、導光板４０の表面に設けられる拡散領域４２の配置位置や形状によって、その配光特性は大きく異なる。例えば、照明装置２０の周囲方向にも広く照らしたい場合には、図１９〜２０に示すように、横方向に膨らみを有する軌跡が描かれるように拡散領域４２を形成すれば良いし、光源３６の正面側を選択的に照らしたい場合には、図２１、図２４、図２６、図２７及び図２９に示すように、正面側に長いシャープな軌跡が描かれるように拡散領域４２を形成すれば良いし。このように、照明装置２０で光を照射したい範囲に応じて適宜拡散領域４２の配置位置又は形状を定めることにより、所望の範囲に光を照射することができる。言い換えると、表面に設けられる拡散領域４２の形状や配置位置を変更することによって、所望の配光特性を照明装置２０にもたせることができる。
【産業上の利用可能性】
【００７１】
上述した実施の形態で示すように、照明分野、特に、美観の優れた照明装置として利用することができる。
【符号の説明】
【００７２】
２０…照明装置、３０…本体部、３２…口金、３４…放熱部、３６…光源、
４０…導光板、４０ａ…導光板、４０ｂ…導光板、４１…主面、４１ａ…右側領域、
４１ｂ…左側領域、４１ｃ…二等分面、４２…拡散領域、４２ａ…加工痕、４４…溝部、
４６…係合溝、４７…第二係合溝、４８…切り欠き部、４８ａ…傾斜面、４８ｂ…傾斜面
【図１】
2014143113.tif 000003
【図２】
2014143113.tif 000004
【図３】
2014143113.tif 000005
【図４】
2014143113.tif 000006
【図５】
2014143113.tif 000007
【図６】
2014143113.tif 000008
【図７】
2014143113.tif 000009
【図８】
2014143113.tif 000010
【図９】
2014143113.tif 000011
【図１０】
2014143113.tif 000012
【図１１】
2014143113.tif 000013
【図１２】
2014143113.tif 000014
【図１３】
2014143113.tif 000015
【図１４】
2014143113.tif 000016
【図１５】
2014143113.tif 000017
【図１６】
2014143113.tif 000018
【図１７】
2014143113.tif 000019
【図１８】
2014143113.tif 000020
【図１９】
2014143113.tif 000021
【図２０】
2014143113.tif 000022
【図２１】
2014143113.tif 000023
【図２２】
2014143113.tif 000024
【図２３】
2014143113.tif 000025
【図２４】
2014143113.tif 000026
【図２５】
2014143113.tif 000027
【図２６】
2014143113.tif 000028
【図２７】
2014143113.tif 000029
【図２８】
2014143113.tif 000030
【図２９】
2014143113.tif 000031